(57)【要約】      （修正有）【課題】扇風機を内蔵し、折りたたみ可能な形状とすることにより、通常の扇風機としても使用可能な扇風機付き椅子を提供する。【解決手段】背もたれ１１の内部に扇風機４１の羽根４２が前方に向けて風を送れるように設置された扇風機付き椅子１であって、該背もたれ１１の前面には、該扇風機４１の羽根４２を保護するように覆い、該扇風機４１が発生させた風を通過させ、座った人が寄りかかれるような背もたれ網１２を有し、椅子として使用していないときは、折りたたんで扇風機４１として使用できるように、座も扇風機４１からの風が通過するように網状になっていると共に、座と背もたれ１１のそれぞれの面が隣接するように、座が背もたれ１１の方に折りたためるような折りたたみ手段３１を有していることを特徴とする折りたたみ可能な扇風機付き椅子１。【選択図】図１
2012245027.tif 000002
【特許請求の範囲】
【請求項１】
背もたれの内部に扇風機の羽根が前方に向けて風を送れるように設置された扇風機付き椅子であって、該背もたれの前面には、該扇風機の羽根を保護するように覆い、該扇風機が発生させた風を通過させ、座った人が寄りかかれるような背もたれ網を有し、椅子として使用していないときは、折りたたんで扇風機として使用できるように、座も扇風機からの風が通過するように網状になっていると共に、座と背もたれのそれぞれの面が隣接するように、座が背もたれの方に折りたためるような折りたたみ手段を有していることを特徴とする折りたたみ可能な扇風機付き椅子。
【請求項２】
上記背もたれの前面に存在する上記背もたれ網及び／又は網状になっている上記座が、座った人に対してのクッション性を有している請求項１に記載の折りたたみ可能な扇風機付き椅子。
【請求項３】
座と背もたれのそれぞれの面が、折りたたんだときに互いに密接するような形状になっている請求項１又は請求項２に記載の折りたたみ可能な扇風機付き椅子。
【発明の詳細な説明】
【技術分野】
【０００１】
本発明は、扇風機付き椅子に関し、更に詳しくは、椅子として使用していない時には通常の扇風機としても使用できる折りたたみ可能な扇風機付き椅子に関する。
【背景技術】
【０００２】
座及び背もたれを網状の素材で構成した椅子には、通気性及びクッション性に優れるという利点がある（例えば、特許文献１参照）。
しかしながら、特許文献１に記載されている椅子は、座った人に対して、特に強制的に風を送るというものではなかった。
【０００３】
また、特許文献２では、背もたれに通風口を設け吸排気することにより、座った人に涼しさを提供する椅子が提案されている。
しかしながら、このような吸排気付き椅子は、ファンからの風が直接座った人の背中に当たることがないため、涼しさの程度が低く、また、椅子として使用していないときは、広いスペースが必要となるという欠点があった。
【先行技術文献】
【特許文献】
【０００４】
【特許文献１】特開２００４−３３５４３号公報
【特許文献２】実開平６−１５５５４号公報
【発明の概要】
【発明が解決しようとする課題】
【０００５】
本発明は、上記背景技術に鑑みてなされたものであり、その課題は、必要に応じて、通常の扇風機としても通常の椅子としても使用可能な扇風機付き椅子を提供することにある。
【課題を解決するための手段】
【０００６】
本発明者は、上記の課題を解決すべく鋭意検討を重ねた結果、椅子の座及び背もたれを網状の素材で構成し、該背もたれに扇風機を内蔵し、更に、折りたたみ手段を設けることにより、椅子及び扇風機として両用が可能であることを見出して、本発明を完成するに至った。
【０００７】
すなわち、本発明は、背もたれの内部に扇風機の羽根が前方に向けて風を送れるように設置された扇風機付き椅子であって、該背もたれの前面には、該扇風機の羽根を保護するように覆い、該扇風機が発生させた風を通過させ、座った人が寄りかかれるような背もたれ網を有し、椅子として使用していないときは、折りたたんで扇風機として使用できるように、座も扇風機からの風が通過するように網状になっていると共に、座と背もたれのそれぞれの面が隣接するように、座が背もたれの方に折りたためるような折りたたみ手段を有していることを特徴とする折りたたみ可能な扇風機付き椅子を提供するものである。
【発明の効果】
【０００８】
本発明によれば、前記問題点や課題を解消し、椅子として使用しない場合には折りたたむことにより、通常の扇風機としても使用でき、スペースを有効活用することのできる扇風機付き椅子を提供することができる。
また、本発明によれば、背もたれの内部に設置された扇風機の羽根が、座っている人の背中に直接風を当てるので、座っている人は、極めて涼しく快適である。
また、本発明においては、風が通過するように座も背もたれも網状になっているので、かかる網状であることが同時にクッション性も与えており、椅子として、涼しいことと座り心地が良いことの相乗効果を奏する。
【図面の簡単な説明】
【０００９】
【図１】本発明の具体的実施形態の第一の例における椅子としての使用状態を示す斜視図である。
【図２】本発明の具体的実施形態の第二の例における椅子としての使用状態を示す縦断面図である。
【図３】本発明の具体的実施形態の第二の例において折りたたんで通常の扇風機として使用する際の状態を示す縦断面図である。
【発明を実施するための形態】
【００１０】
以下、本発明について説明するが、本発明は、以下の具体的形態に限定されるものではなく、技術的思想の範囲内で任意に変形することができる。
【００１１】
本発明の「折りたたみ可能な扇風機付き椅子」は、背もたれの内部に、扇風機が、該扇風機の羽根が前方に向けて風を送れるように設置されている。ここで、「前方」とは、図１及び図２に示すように、椅子に座った人の背中に直接風Ｗが当たるような方向をいう。
【００１２】
本発明の折りたたみ可能な扇風機付き椅子においては、背もたれ１１の内部に、扇風機４１が、その羽根４２と共に設置されている。扇風機４１の駆動源となるモーター４３の設置場所に特に限定はなく、図１では、背もたれ１１の外部に設置され、図２及び図３では、背もたれ１１の内部に設置されている。
【００１３】
また、扇風機４１の駆動源の種類についても特に限定はなく、家庭用の交流電源からコード４４を通して電流を得てもよいし、乾電池、二次電池等の電池から電流を得てもよい。
扇風機４１の羽根の数及び形状に関しても、特に限定はない。
【００１４】
本発明の「折りたたみ可能な扇風機付き椅子」は、更に、上記背もたれの前面に、該扇風機の羽根を保護するように覆い、該扇風機が発生させた風を通過させ、座った人が寄りかかれるような背もたれ網を有している。「前面」とは、椅子に座った人の背中と隣接する面をいう。
【００１５】
背もたれ網１２の網目の形状及び大きさに特に限定はなく、図１に示すような略正方形状の網目であってもよく、略正方形状の網目でなくてもよいが、扇風機としての機能を損なわないために、扇風機が発生させた風を十分に通過させることができることが必要不可欠である。また、安全のため、指等が入らない程度の形状及び大きさであることが好ましく、座った人が寄りかかっても破損しない程度の強度を有することが好ましい。
【００１６】
本発明の「折りたたみ可能な扇風機付き椅子」は、椅子として使用していないときは、折りたたんで扇風機として使用できるように、座も背もたれ網と同様に扇風機からの風が通過するように網状になっている。
【００１７】
座２１の網目の形状及び大きさにも特に限定はなく、図１に示すような略正方形状の網目でなくてもよいが、扇風機としての機能を損なわないために、扇風機が発生させた風を十分に通過させることができる形状及び大きさであることが必要不可欠である。
【００１８】
また、背もたれ網１２及び網状になっている座２１は、座った人に対してのクッション性を有するような形状及び大きさであることが好ましい。
【００１９】
背もたれ網においても、網状の座においても、該網目を長方形に近似した場合には、その一辺の長さは、背もたれにおいては座ったときの風の十分な通過（背中への十分な風のあたり）、座においては折りたたんだときの扇風機としての風の十分な通過、扇風機の羽根に接触しないような安全性、椅子としての座り心地やクッション性、耐久性等を考慮して、１ｍｍ〜１５ｍｍが好ましく、２ｍｍ〜１２ｍｍがより好ましく、３ｍｍ〜１０ｍｍが特に好ましい。
【００２０】
本発明の「折りたたみ可能な扇風機付き椅子」は、更に、座と背もたれのそれぞれの面が隣接するように、座が背もたれの方に折りたためるような折りたたみ手段３１を有している。
【００２１】
背もたれ１１と座２１は折りたたみ手段３１により接続されている。図１に示す実施形態では、脚部５５ａ、５５ｂ、５５ｃ及び５５ｄは取り外し可能であることが好ましく、椅子としてではなく通常の扇風機として使用する際には、脚部５５ａ、５５ｂ、５５ｃ及び５５ｄを取り外した上で折りたたみ、床面に立てることにより、スペースを取らないコンパクトな扇風機として使用することができる。
【００２２】
通常の扇風機として使用する際に、床面よりも高い位置から風を送る実施形態も考えられる。図２に示すように、椅子として使用する際には、突起付き脚部５１及び固定脚部５２は床面に対して斜めに設置され、脚部接合部材５４により接続されている。突起付き脚部５１の先端に設けられた突起５１ａは、座２１の凹部２１ａと嵌まり、固定脚部５２は後方固定治具６１により背もたれ１１に接続されている。
【００２３】
椅子としてではなく、通常の扇風機として使用する際には、突起５１ａを座２１の凹部２１ａから取り外し、折りたたみ手段３１により折りたたむことにより、座２１と背もたれ１１を隣接させる。更に、前方固定回転治具３２により支持具５３を回転させ、突起付き脚部５１と固定脚部５２のなす角を調整することにより、突起付き脚部５１の先端に設けられた突起５１ａを支持具５３の凹部５３ａに嵌める。
このような形態とすることにより、図３に示すように、突起付き脚部５１及び固定脚部５２は、椅子の脚部になると共に、折りたたんだときは扇風機の台座にもなり、通常の扇風機として使用する際に床面よりも高い位置で風Ｗを発生させることができる。
【００２４】
座２１と背もたれ１１のそれぞれの面の形状には、特に限定はないが、折りたたんだときに互いに密接するような形状になっているのが好ましい。このような形状にすることにより、通常の扇風機としての使用時に、無駄なスペースがなく、一層コンパクトな形状となる。
【００２５】
例えば、図１に示すように座２１の中央部が窪んだ形状であるときは、折りたたんだときに背もたれ１１と座２１が密接するよう、背もたれ１１の中央部が膨らんだ形状となっていることが好ましい。
また、図２に示すように座２１と背もたれ１１の隣接面が共に平面であっても、折りたたんだときに互いに密接するような形状になり好ましい。
【産業上の利用可能性】
【００２６】
本発明の扇風機付き椅子は、椅子と扇風機の両方の用途に使用可能であり、かつ、椅子として使用しない場合にはコンパクトな形にできるため、スペースに余裕がない場所での使用等、広く利用されるものである。
【符号の説明】
【００２７】
１    扇風機付き椅子
１１    背もたれ
１２    背もたれ網
２１    座
２１ａ  座の凹部
３１    折りたたみ手段
３２    前方固定回転治具
４１    扇風機
４２    羽根
４３    モーター
４４    コード
５１    突起付き脚部
５１ａ  突起付き脚部の突起
５２    固定脚部
５３    支持具
５３ａ  支持具の凹部
５４    脚部接合部材
５５ａ、５５ｂ、５５ｃ、５５ｄ  脚部
６１    後方固定治具
Ｗ    風
【図１】
2012245027.tif 000003
【図２】
2012245027.tif 000004
【図３】
2012245027.tif 000005